(57)【要約】【課題】複数の電源から出力される電圧を簡易な構成で監視することができる電源監視装置を提供する。【解決手段】電源監視装置は、第１電源回路２００から第１負荷４００に電力を供給する第１電力供給路２０１に一端が接続される第１容量素子６０１と、第２電源回路３００から第２負荷５００に電力を供給する第２電力供給路３０１に一端が接続され、他端が第１容量素子６０１の他端に接続される第２容量素子６０２と、制御基板８００と、を備える。制御基板８００は、第１容量素子６０１と第２容量素子６０２との接続点の監視電圧Ｖｍｏｎｉを検知する検知部９００と、監視電圧Ｖｍｏｎｉに応じて、第１電源回路２００及び第２電源回路３００の状態を判断する判断部１０００と、を備える。【選択図】図１
2019129553.tif 000002
【特許請求の範囲】
【請求項１】
第１電源回路から第１負荷に電力を供給する第１電力供給路に一端が接続される第１容量素子と、
第２電源回路から第２負荷に電力を供給する第２電力供給路に一端が接続され、他端が前記第１容量素子の他端に接続される第２容量素子と、
前記第１容量素子と前記第２容量素子との接続点の電圧値を検知する検知手段と、
前記検知手段が検知した電圧値に応じて、前記第１電源回路及び前記第２電源回路の状態を判断する判断手段と、を備えることを特徴とする、
電源監視装置。
【請求項２】
前記第１電源回路及び前記第２電源回路の状態を判断するための基準値を格納する格納手段をさらに備えており、
前記判断手段は、前記検知手段が検知した電圧値と前記基準値との比較結果に応じて、前記第１電源回路及び前記第２電源回路の状態を判断することを特徴とする、
請求項１記載の電源監視装置。
【請求項３】
前記格納手段は、前記第１電源回路及び前記第２電源回路の故障の発生の判断の基準となる前記基準値を格納することを特徴とする、
請求項２記載の電源監視装置。
【請求項４】
前記格納手段は、前記第１電源回路及び前記第２電源回路の動作状態と停止状態との組み合わせに応じた前記基準値を格納することを特徴とする、
請求項２又は３記載の電源監視装置。
【請求項５】
前記格納手段は、前記第１電源回路及び前記第２電源回路がともに正常に動作している場合の第１基準値、前記第１電源回路が異常動作している場合の第２基準値、及び前記第２電源回路が異常動作している場合の第３基準値を格納しており、
前記判断手段は、前記検知手段が検知した電圧値と前記第１基準値、前記第２基準値、及び前記第３基準値の少なくとも１つとの比較結果に応じて、前記第１電源回路及び前記第２電源回路がともに正常動作、前記第１電源回路が異常動作、前記第２電源回路が異常動作、前記第１電源回路及び前記第２電源回路がともに異常動作のいずれかを判断することを特徴とする、
請求項２〜４のいずれか１項記載の電源監視装置。
【請求項６】
前記第２電源回路を動作させるための制御信号を出力する制御手段をさらに備え、前記制御手段により前記第２電源回路の動作と停止とを制御することを特徴とする、
請求項２〜５のいずれか１項記載の電源監視装置。
【請求項７】
前記格納手段は、前記第２電源回路が動作しているとき用の基準値と、停止しているとき用の基準値とを格納し、
前記判断手段は、前記制御信号に応じて前記第２電源回路が動作しているとき用の基準値と、停止しているとき用の基準値とを切り替えて、前記第１電源回路及び前記第２電源回路の状態を判断することを特徴とする、
請求項６記載の電源監視装置。
【請求項８】
前記第１電源回路及び前記第２電源回路の状態の判断結果を報知する報知手段をさらに備えることを特徴とする、
請求項１〜７のいずれか１項記載の電源監視装置。
【請求項９】
請求項１〜８のいずれか１項記載の電源監視装置と、
第１電源回路及び第２電源回路から供給される電力に応じて動作する画像形成手段と、を備えることを特徴とする、
画像形成装置。
【請求項１０】
第１電源回路から第１負荷に電力を供給する第１電力供給路に一端が接続される第１容量素子と、第２電源回路から第２負荷に電力を供給する第２電力供給路に一端が接続され、他端が前記第１容量素子の他端に接続される第２容量素子と、を備える装置により実行される方法であって、
前記第１容量素子と前記第２容量素子との接続点の電圧値を検知し、
前記電圧値に応じて、前記第１電源回路及び前記第２電源回路の状態を判断することを特徴とする、
状態監視方法。
【発明の詳細な説明】
【技術分野】
【０００１】
本発明は、複数の直流電圧を出力可能な電源装置の動作を監視する電源監視装置に関する。
【背景技術】
【０００２】
複写機等の電気機器装置は、ユーザの様々な要求を達成するために、高機能化、高性能化が進んでいる。高機能化、高性能化のために、電気機器装置は、様々な負荷を内蔵する。これに伴い、電気機器装置が備える電源装置は、電圧値の異なる複数の出力電圧（直流電圧）を生成して、電気機器装置内の様々な負荷に供給する必要がある。電源装置は、例えば複数の電源回路を内蔵して、複数の出力電圧を生成する。負荷の増加により、電源装置から出力される出力電圧の数は増大する傾向にある。
【０００３】
電気機器装置は、各負荷の動作開始前に、各出力電圧が電源装置から正常に出力されているかの判断を行う。従来、電気機器装置は、各負荷の入力部に電圧監視回路を設け、電源装置から負荷に供給される電圧を監視して、電源装置から出力電圧が正常に供給されるかの判断を行っている。図９は、従来の電源監視装置の構成例示図である。ここでは、電源の供給が２系統で行われる構成について説明する。図９（ａ）は、電源監視装置の全体構成を示す。
【０００４】
第１電源回路２００は、第１電力供給路２０１を介して第１負荷４００に電力を供給する。第２電源回路３００は、第２電力供給路３０１を介して第２負荷５００に電力を供給する。電源監視装置は、第１電圧監視回路６００、第２電圧監視回路７００、及び制御基板８２０を備え、第１電源回路２００及び第２電源回路３００の動作状態を監視する。制御基板８２０は、検知部９００及び判断部１０００を備える。
【０００５】
第１電圧監視回路６００は、第１電力供給路２０１に接続され、第１電源回路２００から出力される直流の電圧を監視する。第２電圧監視回路７００は、第２電力供給路３０１に接続され、第２電源回路３００から出力される直流の電圧を監視する。検知部９００は、第１電圧監視回路６００及び第２電圧監視回路７００のそれぞれの監視結果である電圧値を検知する。判断部１０００は、検知部９００が検知したそれぞれの電圧値に基づいて、第１電源回路２００及び第２電源回路３００が正常に動作しているかの判断を行う。
【０００６】
このように従来の電源監視装置は、２つの電源回路のそれぞれに対して電圧監視回路を設け、各電圧監視回路から検知した２つの電圧値により、２つの電源回路の動作状態を把握している。図９（ｂ）は、第１電圧監視回路６００の構成を示す。なお、第２電圧監視回路７００は第１電圧監視回路６００と同じ構成である。
【０００７】
第１電圧監視回路６００は、コンパレータ８０１と３つの抵抗８０２、８０３、８０４）を備える。コンパレータ８０１は、不図示の電源回路の電圧Ｖｃｃで動作する。コンパレータ８０１の正端子は、第１電源回路２００から出力される電圧が入力される。コンパレータ８０１の負端子には、電圧Ｖｃｃを抵抗８０２と抵抗８０３とで抵抗分圧した電圧（基準値）が入力される。抵抗８０２と抵抗８０３とは、例えば、第１電源回路２００が正しい電圧を出力しているときに、コンパレータ８０１の正端子電圧が負端子電圧より大きくなるような抵抗定数である。コンパレータ８０１の出力は、抵抗８０４を用いてプルアップされる。
【０００８】
第１電源回路２００から電圧が正しく出力されている場合、コンパレータ８０１の正端子電圧が負端子電圧より大きいため、コンパレータ８０１の出力は、ハイ（ＨＩＧＨ）となる。そのため、検知部９００にＨＩＧＨ電圧が入力される。第１電源回路２００から電圧が正しく出力されていない場合、コンパレータ８０１の正端子電圧は、負端子電圧より小さくなる。そのため、コンパレータ８０１の出力は、ロー（ＬＯＷ）となる。その結果、検知部９００にＬＯＷ電圧が入力される。
【０００９】
検知部９００は、第１電源回路２００が正しく動作しているときにＨＩＧＨ電圧を検知し、第１電源回路２００が正しく動作していないときにＬＯＷ電圧を検知する。判断部１０００は、検知部９００が検知した電圧値に基づいて、第１電源回路２００の出力電圧異常を監視する。判断部１０００は、検知部９００がＨＩＧＨ電圧を検知した場合に第１電源回路２００が正常状態、検知部９００がＬＯＷ電圧を検知した場合に第１電源回路２００が異常状態であると判断する。
【００１０】
以上のように電圧監視回路は、通常、負荷毎に設けられる。そのために、電圧監視回路の数が膨大になり、電気機器装置の部品数の増加につながる。これは、電気機器装置の小型化の妨げになり、また、コストの増大を招く。これに対して特許文献１は、複数の出力電圧の監視を一つの制御用電源異常検出モジュールにより行う電源制御装置を開示する。
【先行技術文献】
【特許文献】
【００１１】
【特許文献１】特開２００７−３３６７７６号公報
【発明の概要】
【発明が解決しようとする課題】
【００１２】
特許文献１の電源制御装置の制御用電源異常検出モジュールは、複数の出力電圧を監視するが、その内部に出力電圧毎に設けられる制御用電源異常検出回路を有する。制御用電源異常検出回路は、従来の電圧監視回路と同様の構成である。この電源制御装置においても、制御用電源異常検出回路を出力電圧の数だけ備えなければならない。そのために、従来の電圧監視回路の数が膨大になることにより生じる問題は、解決されていない。
【００１３】
本発明は、上記の問題に鑑み、複数の電源から出力される電圧を簡易な構成で監視することができる電源監視装置を提供することを主たる課題とする。
【課題を解決するための手段】
【００１４】
本発明の電源監視装置は、第１電源回路から第１負荷に電力を供給する第１電力供給路に一端が接続される第１容量素子と、第２電源回路から第２負荷に電力を供給する第２電力供給路に一端が接続され、他端が前記第１容量素子の他端に接続される第２容量素子と、前記第１容量素子と前記第２容量素子との接続点の電圧値を検知する検知手段と、前記検知手段が検知した電圧値に応じて、前記第１電源回路及び前記第２電源回路の状態を判断する判断手段と、を備えることを特徴とする。
【発明の効果】
【００１５】
本発明によれば、各電源から出力される電圧が容量素子により分圧され、この分圧された電圧値に応じて各電源の状態を判断するために、従来よりも簡易な構成で、各電源から出力される電圧を監視することができる。
【図面の簡単な説明】
【００１６】
【図１】本実施形態の電源監視装置の構成例示図。
【図２】（ａ）〜（ｄ）は、電圧Ｖｄｃ１、Ｖｄｃ２と監視電圧Ｖｍｏｎｉとの関係の説明図。
【図３】状態監視処理を表すフローチャート。
【図４】画像形成装置の構成例示図。
【図５】電源監視装置の構成例示図。
【図６】（ａ）〜（ｄ）は、制御信号ＲＭＴ＿ｓｉｇ、電圧Ｖｄｃ３、Ｖｄｃ４、及び監視電圧Ｖｍｏｎｉの関係の説明図。
【図７】（ａ）〜（ｃ）は、制御信号ＲＭＴ＿ｓｉｇ、電圧Ｖｄｃ３、Ｖｄｃ４、及び監視電圧Ｖｍｏｎｉの関係の説明図。
【図８】状態監視処理を表すフローチャート。
【図９】（ａ）、（ｂ）は、従来の電源監視装置の構成例示図。
【発明を実施するための形態】
【００１７】
本発明の実施形態について、図面を参照しながら説明する。
【００１８】
図１は、本実施形態の電源監視装置の構成例示図である。電源監視装置１は、電圧を２系統で出力する電源装置１０の出力電圧を監視する。電源装置１０は、２つの電源回路（第１電源回路２００及び第２電源回路３００）により構成される。第１電源回路２００は、第１負荷４００に電力供給を行う。第１電源回路２００は、第１電力供給路２０１を介して直流の電圧Ｖｄｃ１を第１負荷４００に印加することで、第１負荷４００を動作させる。第２電源回路３００は、第２負荷５００に電力供給を行う。第２電源回路３００は、第２電力供給路３０１を介して直流の電圧Ｖｄｃ２を第２負荷５００に印加することで、第２負荷５００を動作させる。
【００１９】
電源監視装置１は、このような電源装置１０の出力電圧を監視するために、第１容量素子６０１、第２容量素子６０２、制御基板８００、及び操作パネル１２００を備える。第１容量素子６０１は、一端が第１電力供給路２０１に接続され、他端が第２容量素子６０２に接続される。第２容量素子６０２は、一端が第２電力供給路３０１に接続され、他端が第１容量素子６０１に接続される。第１容量素子６０１と第２容量素子６０２との接続点の監視電圧Ｖｍｏｎｉは、制御基板８００に入力される。
【００２０】
制御基板８００は、検知部９００、判断部１０００、及びメモリ１７００を備える。制御基板８００は、各部がハードウェアにより構成されてもよいが、例えばＣＰＵ（Central Processing Unit）が所定のコンピュータプログラムを実行することで、各部の機能を実現してもよい。
検知部９００は、アナログ値をデジタル値に変換するＡＤ変換器を有する。検知部９００は、第１容量素子６０１と第２容量素子６０２との接続点の電圧Ｖｏｍｏｎｉを検知して、これをデジタル値に変換する。メモリ１７００は、予め各電源回路（第１電源回路２００及び第２電源回路３００）の状態（動作状態、停止状態等）の判断基準となる基準値を格納する。基準値は、第１電源回路２００及び第２電源回路３００の故障発生の判断の判断基準である。判断部１０００は、検知部９００によりデジタル値に変換された監視電圧Ｖｍｏｎｉと、基準値とに基づいて、各電源回路（第１電源回路２００及び第２電源回路３００）から出力される電圧Ｖｄｃ１、Ｖｄｃ２の状態を判断する。制御基板８００は、判断部１０００の判断結果により、各電源回路（第１電源回路２００及び第２電源回路３００）が正常に動作しているか、或いは動作に異常が生じているかを判断することができる。
【００２１】
操作パネル１２００は、入力キー、タッチパネル等の入力装置と、表示装置、スピーカ等の出力装置とを組み合わせたユーザインタフェースである。操作パネル１２００は、判断部１０００による判断結果を出力する報知装置として機能する。
【００２２】
監視電圧Ｖｍｏｎｉの電圧値により、電源装置１０の正常状態及び異常状態を検知する原理について説明する。図１のように電源装置１０から２系統で直流電圧が出力される場合、第１容量素子６０１及び第２容量素子６０２には、電圧Ｖｄｃ１と電圧Ｖｄｃ２との差分電圧が印加される。監視電圧Ｖｍｏｎｉは、差分電圧が第１容量素子６０１及び第２容量素子６０２のそれぞれの容量値に応じて容量分圧された電圧である。電圧Ｖｄｃ１及び電圧Ｖｄｃ２に応じて監視電圧Ｖｍｏｎｉが変化する。そのため、制御基板８００は、監視電圧Ｖｍｏｎｉをモニタすることで、電源装置１０の各電源回路（第１電源回路２００及び第２電源回路３００）の状態を把握することができる。
【００２３】
図２は、電源装置１０の出力電圧（電圧Ｖｄｃ１及び電圧Ｖｄｃ２）と監視電圧Ｖｍｏｎｉとの関係の説明図である。図２では、電圧Ｖｄｃ１＝１２［Ｖ］、電圧Ｖｄｃ２＝２４［Ｖ］として説明する。第１容量素子６０１と第２容量素子６０２との容量値は同じである。
【００２４】
図２（ａ）は、第１電源回路２００及び第２電源回路３００が共に正常動作しているときの、電圧Ｖｄｃ１、電圧Ｖｄｃ２、及び監視電圧Ｖｍｏｎｉの電圧波形を示す。第１電源回路２００及び第２電源回路３００は、正常に動作しているため、電圧Ｖｄｃ１＝１２［Ｖ］及び電圧Ｖｄｃ２＝２４［Ｖ］を正常に出力している。このとき、第１容量素子６０１と第２容量素子６０２との間には、電圧Ｖｄｃ２−電圧Ｖｄｃ１＝１２［Ｖ］の電位差が生じる。第１容量素子６０１と第２容量素子６０２とには、容量分圧された（電圧Ｖｄｃ２−電圧Ｖｄｃ１）／２＝６［Ｖ］が印加される。そのため、監視電圧Ｖｍｏｎｉは、電圧Ｖｄｃ１＋（電圧Ｖｄｃ２−電圧Ｖｄｃ１）／２（又は電圧Ｖｄｃ２−（電圧Ｖｄｃ２−電圧Ｖｄｃ１）／２）で得られる１８［Ｖ］となる。
【００２５】
図２（ｂ）は、第１電源回路２００が時刻Ｔ１で故障し、時刻Ｔ２で電圧Ｖｄｃ１が０［Ｖ］になるときの、電圧Ｖｄｃ１、電圧Ｖｄｃ２、及び監視電圧Ｖｍｏｎｉの電圧波形を示す。第１電源回路２００は、時刻Ｔ１までは正常に動作する。第２電源回路３００は正常に動作している。電圧Ｖｄｃ１は、時刻Ｔ１から時刻Ｔ２の間で徐々に１２［Ｖ］から０［Ｖ］へ降下する。
時刻Ｔ２で電圧Ｖｄｃ１が０［Ｖ］になると、第１容量素子６０１と第２容量素子６０２との間には、電圧Ｖｄｃ２−電圧Ｖｄｃ１＝２４［Ｖ］の電位差が生じる。このとき、第１容量素子６０１と第２容量素子６０２とには、容量分圧された（電圧Ｖｄｃ２−電圧Ｖｄｃ１）／２＝１２［Ｖ］が印加される。そのため、監視電圧Ｖｍｏｎｉは、電圧Ｖｄｃ１＋（電圧Ｖｄｃ２−電圧Ｖｄｃ１）／２（又は電圧Ｖｄｃ２−（電圧Ｖｄｃ２−電圧Ｖｄｃ１）／２）で得られる１２［Ｖ］となる。監視電圧Ｖｍｏｎｉは、時刻Ｔ１から時刻Ｔ２の間で徐々に１８［Ｖ］から１２［Ｖ］へ降下する。
【００２６】
図２（ｃ）は、第２電源回路３００が時刻Ｔ１で故障し、時刻Ｔ２で電圧Ｖｄｃ１が０［Ｖ］になるときの、電圧Ｖｄｃ１、電圧Ｖｄｃ２、及び監視電圧Ｖｍｏｎｉの電圧波形を示す。第２電源回路３００は、時刻Ｔ１までは正常に動作する。第１電源回路２００は正常に動作している。電圧Ｖｄｃ２は、時刻Ｔ１から時刻Ｔ２の間で徐々に２４［Ｖ］から０［Ｖ］へ降下する。
時刻Ｔ２で電圧Ｖｄｃ２が０［Ｖ］になると、第１容量素子６０１と第２容量素子６０２との間には、電圧Ｖｄｃ２−電圧Ｖｄｃ１＝１２［Ｖ］の電位差が生じる。このとき、第１容量素子６０１と第２容量素子６０２とには、容量分圧された（電圧Ｖｄｃ２−電圧Ｖｄｃ１）／２＝６［Ｖ］が印加される。そのため、監視電圧Ｖｍｏｎｉは、電圧Ｖｄｃ１＋（電圧Ｖｄｃ２−電圧Ｖｄｃ１）／２（又は電圧Ｖｄｃ２−（電圧Ｖｄｃ２−電圧Ｖｄｃ１）／２）で得られる６［Ｖ］となる。監視電圧Ｖｍｏｎｉは、時刻Ｔ１から時刻Ｔ２の間で徐々に１８［Ｖ］から６［Ｖ］へ降下する。
【００２７】
図２（ｄ）は、第１電源回路２００及び第２電源回路３００がいずれも時刻Ｔ１で故障し、時刻Ｔ２で電圧Ｖｄｃ１及び電圧Ｖｄｃ２が共に０［Ｖ］になるときの、電圧Ｖｄｃ１、電圧Ｖｄｃ２、及び監視電圧Ｖｍｏｎｉの電圧波形を示す。第１電源回路２００及び第２電源回路３００は、時刻Ｔ１までは正常に動作する。電圧Ｖｄｃ１は、時刻Ｔ１から時刻Ｔ２の間で徐々に１２［Ｖ］から０［Ｖ］へ降下する。電圧Ｖｄｃ２は、時刻Ｔ１から時刻Ｔ２の間で徐々に２４［Ｖ］から０［Ｖ］へ降下する。時刻Ｔ２で電圧Ｖｄｃ１及び電圧Ｖｄｃ２が０［Ｖ］になると、第１容量素子６０１と第２容量素子６０２との間には、電位差が生じない。そのため、監視電圧Ｖｍｏｎｉは、０［Ｖ］となる。監視電圧Ｖｍｏｎｉは、時刻Ｔ１から時刻Ｔ２の間で徐々に１８［Ｖ］から０［Ｖ］へ降下する。
【００２８】
このように電圧Ｖｄｃ１及び電圧Ｖｄｃ２の変動に応じて変動する監視電圧Ｖｍｏｎｉの電圧値は、第１電源回路２００及び第２電源回路３００の動作状態を表す。そのために制御基板８００は、監視電圧Ｖｍｏｎｉに基づいて第１電源回路２００及び第２電源回路３００が正常に動作しているか否かを判断することが可能である。
【００２９】
制御基板８００のメモリ１７００は、このような監視電圧Ｖｍｏｎｉから第１電源回路２００及び第２電源回路３００の動作状態を判断するための基準値を格納する。基準値は、第１電源回路２００及び第２電源回路３００の動作状態、停止状態の組み合わせに応じた監視電圧Ｖｍｏｎｉを判断するための値である。第１電源回路２００及び第２電源回路３００がともに正常に動作している場合の基準値は、電圧閾値Ｖｃである。第１電源回路２００が異常動作している場合の基準値は、電圧閾値Ｖｂである。第２電源回路３００が異常動作している場合の基準値は、電圧閾値Ｖａである。図２の例では、電圧閾値Ｖｃ＝１６［Ｖ］、電圧閾値Ｖｂ＝１０［Ｖ］、電圧閾値Ｖａ＝４［Ｖ］である。
【００３０】
判断部１０００は、検知部９００が検知した監視電圧Ｖｍｏｎｉの電圧値と、メモリ１７００に格納された電圧閾値とを比較し、比較結果に基づいて第１電源回路２００及び第２電源回路３００の状態を判断する。図２（ａ）では、監視電圧Ｖｍｏｎｉ（１８Ｖ）が、電圧閾値Ｖｃ（１６Ｖ）以上であるため、判断部１０００は「各電源回路共に正常」と判断する。図２（ｂ）では、監視電圧Ｖｍｏｎｉ（１２Ｖ）が、電圧閾値Ｖｃ（１６Ｖ）未満且つ電圧閾値Ｖｂ（１０Ｖ）以上であるため、判断部１０００は「第１電源回路の異常」と判断する。図２（ｃ）では、監視電圧Ｖｍｏｎｉ（６Ｖ）が、電圧閾値Ｖｂ（１０Ｖ）未満且つ電圧閾値Ｖａ（４Ｖ）以上であるため、判断部１０００は「第２電源回路の異常」と判断する。図２（ｄ）では、監視電圧Ｖｍｏｎｉ（０Ｖ）が、電圧閾値Ｖａ（４Ｖ）未満であるため、判断部１０００は「各電源回路共に異常」と判断する。
【００３１】
図３は、以上のような構成の電源監視装置１による電源装置１０（第１電源回路２００及び第２電源回路３００）の状態監視処理を表すフローチャートである。この処理は、電源装置１０が動作を開始して出力電圧（電圧Ｖｄｃ１、電圧Ｖｄｃ２）が安定するのに十分な時間が経過した後に行われる。
【００３２】
制御基板８００は、検知部９００により監視電圧Ｖｍｏｎｉを検知して処理を開始する。検知部９００は、所定の時間間隔で監視電圧Ｖｍｏｎｉを検知する。判断部１０００は、メモリ１７００の基準値を参照して、検知部９００で検知した監視電圧Ｖｍｏｎｉが電圧閾値Ｖｃ以上であるかを判断する（Ｓ１００１）。監視電圧Ｖｍｏｎｉが電圧閾値Ｖｃ以上である場合（Ｓ１００１：Y）、判断部１０００は、「各電源回路共に正常」であると判断する。この場合、判断部１０００は、検知部９００が次に検知した監視電圧Ｖｍｏｎｉに対して、電圧閾値Ｖｃとの比較を行うことになる（Ｓ１００１）。
【００３３】
監視電圧Ｖｍｏｎｉが電圧閾値Ｖｃ未満である場合（Ｓ１００１：N）、判断部１０００は、「出力異常の電源回路有」と判断する。この場合、判断部１０００は、出力異常が発生した電源回路の特定を行う。
判断部１０００は、まず、第１電源回路２００の状態の確認を行う。判断部１０００は、監視電圧Ｖｍｏｎｉが電圧閾値Ｖｂ以上であるかを判断する（Ｓ１００２）。監視電圧Ｖｍｏｎｉが電圧閾値Ｖｂ以上である場合（Ｓ１００２：Y）、判断部１０００は、「第１電源回路の異常」と判断する（Ｓ１００３）。
【００３４】
監視電圧Ｖｍｏｎｉが電圧閾値Ｖｂ未満である場合（Ｓ１００２：N）、判断部１０００は、第２電源回路３００の状態の確認を行う。判断部１０００は、監視電圧Ｖｍｏｎｉが電圧閾値Ｖａ以上であるかを判断する（Ｓ１００４）。監視電圧Ｖｍｏｎｉが電圧閾値Ｖａ以上である場合（Ｓ１００４：Y）、判断部１０００は、「第２電源回路の異常」と判断する（Ｓ１００５）。監視電圧Ｖｍｏｎｉが電圧閾値Ｖａ未満である場合（Ｓ１００４：N）、判断部１０００は、「各電源回路共に異常」と判断する（Ｓ１００６）。
【００３５】
制御基板８００は、判断結果をメモリ１７００に格納したり、操作パネル１２００によりユーザへ報知してもよい。以上により、電源装置１０の状態監視処理が終了する。検知部９００が所定の時間間隔で監視電圧Ｖｍｏｎｉを検知することで、この処理は繰り返し行われる。そのために、電源装置１０の常時監視が行われる。
【００３６】
以上のように本実施形態の電源監視装置１は、監視電圧Ｖｍｏｎｉの電圧値とメモリ１７００に格納した基準値である電圧閾値とを比較をすることで、電源回路毎に動作状態（出力電圧状態）を判断することができる。そのために、従来のように電圧監視回路を電源回路毎に設ける必要がなく、装置部品の削減、装置の小型化、コスト削減が可能となる。
【００３７】
ここでは電源装置１０（第１電源回路２００及び第２電源回路３００）の出力電圧が０［Ｖ］になる例で説明をした。出力電圧が電源回路の出力電圧範囲外になった場合の電源回路の異常も、電圧閾値を適切に設定することで、同様の方法で検知することが可能である。また、電圧Ｖｄｃ１と電圧Ｖｄｃ２とが同じ電圧値である場合、第１容量素子６０１と第２容量素子６０２とを異なる容量値とすることで、電源監視装置１は、第１電源回路２００及び第２電源回路３００の状態を判断することができる。
また、電源監視装置１は、電源回路は３以上であっても、同様に、負荷容量の接続の仕方と電圧閾値の値とで、すべての電源回路の状態を判断することができる。
なお、検知部９００と判断部１０００は、アナログ入力ポートを有するＣＰＵで構成されてもよいし、他の構成でもよい。
【００３８】
（運用形態）
上記の電源監視装置１を電気機器装置に組み込んだ例について説明する。電気機器装置は外部信号により動作する電源装置を備える。電源回路は、外部信号をトリガとして、電圧を出力する。
【００３９】
図４は、このような電気機器装置の一例である画像形成装置の構成例示図である。画像形成装置１００は、４つの画像形成部Ｙ、Ｍ、Ｃ、Ｋ、像担持体である中間転写ベルト１０７、給紙カセット１１１、定着器１１５、及び操作パネル１２００を備えている。画像形成装置１００は、給紙カセット１１１に収納される紙等の記録材Ｐに画像を形成する。操作パネル１２００は、上記した通りユーザインタフェースである。画像形成装置１００は、操作パネル１２００或いはネットワークを経由して外部装置から入力される画像形成の指示に応じて、記録材Ｐへの画像形成処理を行う。
【００４０】
第１の画像形成部Ｙはイエローの画像形成を行う。第２の画像形成部Ｍはマゼンタの画像形成を行う。第３の画像形成部Ｃはシアンの画像形成を行う。第４の画像形成部Ｋはブラックの画像形成を行う。第１の画像形成部Ｙの構成要素には、符号の末尾に「ｙ」を付加する。第２の画像形成部Ｍの構成要素には、符号の末尾に「ｍ」を付加する。第３の画像形成部Ｃの構成要素には、符号の末尾に「ｃ」を付加する。第４の画像形成部Ｋの構成要素には、符号の末尾に「ｋ」を付加する。第１〜第４の画像形成部Ｙ〜Ｋは同じ構成である。第１の画像形成部Ｙの構成について説明し、第２、第３、第４の画像形成部Ｍ、Ｃ、Ｋの構成の説明を省略する。
【００４１】
第１の画像形成部Ｙは、感光ドラム１０１ｙ、帯電ローラ１０２ｙ、露光器１０３ｙ、現像器１０４ｙ、１次転写ローラ１０５ｙ、及び感光体クリーナ１０６ｙを備える。感光ドラム１０１ｙは、像担持体であり、画像形成の指示が入力されることで、所定のプロセススピードで回転を開始する。帯電ローラ１０２ｙは、回転する感光ドラム１０１ｙの表面を一様に帯電する。露光器１０３ｙは、イエローの画像を表す画像データに応じてレーザ光Ｅｙを感光ドラム１０１ｙの表面に照射する。感光ドラム１０１ｙは、帯電後にレーザ光Ｅｙが照射されることで、イエローの画像の静電潜像が形成される。現像器１０４ｙは、静電潜像をイエローの現像剤により現像する。ここでは現像剤としてトナーを用いる例を説明する。感光ドラム１０１ｙの表面には、現像器１０４ｙにより現像されることで、イエローのトナー像が形成される。
【００４２】
同様に、第２の画像形成部Ｍの感光ドラム１０１ｍには、マゼンタのトナー像が形成される。第３の画像形成部Ｃの感光ドラム１０１ｃには、シアンのトナー像が形成される。第４の画像形成部Ｋの感光ドラム１０１ｋには、ブラックのトナー像が形成される。
【００４３】
中間転写ベルト１０７は、各画像形成部Ｙ、Ｍ、Ｃ、Ｋの感光ドラム１０１ｙ、１０１ｍ、１０１ｃ、１０１ｋと、１次転写ローラ１０５ｙ、１０５ｍ、１０５ｃ、１０５ｋとの間を通り、中間転写ベルト駆動ローラ１０８に掛け回される。中間転写ベルト１０７は、画像形成の指示が入力されることで、中間転写ベルト駆動ローラ１０８により所定のプロセススピードで第１の画像形成部Ｙから第４の画像形成部Ｍの方向へ回転を開始する。
【００４４】
各画像形成部Ｙ、Ｍ、Ｃ、Ｋの感光ドラム１０１ｙ、１０１ｍ、１０１ｃ、１０１ｋに形成されたトナー像は、１次転写ローラ１０５ｙ、１０５ｍ、１０５ｃ、１０５ｋにより、中間転写ベルト１０７に順次転写される。転写が中間転写ベルト１０７の回転に応じて行われるために、各色のトナー像は中間転写ベルト１０７上に重なるように転写される。これにより中間転写ベルト１０７上にフルカラーのトナー像が担持される。中間転写ベルト１０７は、回転することで、転写されたフルカラーのトナー像を、中間転写ベルト駆動ローラ１０８及び２次転写ローラ１０９により形成される２次転写部へ搬送する。なお、転写後に感光ドラム１０１ｙ、１０１ｍ、１０１ｃ、１０１ｋに残留するトナーは、感光体クリーナ１０６ｙ、１０６ｍ、１０６ｃ、１０６ｋにより掻き取られる。
【００４５】
給紙カセット１１１に収納される記録材Ｐは、ピックアップローラ１１２により、所定のタイミングで搬送経路に給紙される。搬送経路には、給紙ローラ対１１３及びレジストローラ対１１４が設けられる。給紙ローラ対１１３は、給紙された記録材Ｐを１枚ずつレジストローラ対１１４へ搬送する。レジストローラ対１１４は、記録材Ｐの先端辺の斜行を補正する。レジストローラ対１１４は、中間転写ベルト１０７に形成されたトナー像が２次転写部へ搬送されるタイミングにあわせて、斜行補正された記録材Ｐを２次転写部へ搬送する。
【００４６】
２次転写部は、中間転写ベルト駆動ローラ１０８と２次転写ローラ１０９とにより中間転写ベルト１０７及び記録材Ｐを挟んで搬送しつつ、中間転写ベルト１０７から記録材Ｐへフルカラーのトナー像を転写させる。２次転写ローラ１０９は、不図示の高圧基板から印加される電圧により、トナー像の転写を行う。トナー像が転写された記録材Ｐは、定着器１１５へ搬送される。なお、転写後に中間転写ベルト１０７に残留するトナーは、中間転写ベルトクリーナ１１０により掻き取られる。
【００４７】
定着器１１５は、記録材Ｐにトナー像を定着させる。定着器１１５は、例えば熱圧着により、トナー像を記録材Ｐに定着させる。トナー像が定着した記録材Ｐは、定着器１１５から、搬送経路を搬送ローラ１１６、１１７、１１８、１１９により搬送され、機外に排出される。以上により、カラー画像が形成された記録材Ｐが生成される。
【００４８】
画像形成装置１００の各部は、省電力電源１３００及び大電力電源１４００から供給される電力により動作する。省電力電源１３００及び大電力電源１４００は、上記の電源装置１０を構成する。省電力電源１３００が第１電源回路２００に相当する。大電力電源１４００が第２電源回路３００に相当する。省電力電源１３００は、大電力電源１４００よりも供給できる電力が小さい電源回路である。省電力電源１３００及び大電力電源１４００は、いずれも、商用電源から供給される交流電力を画像形成装置１００内部の直流電力に変換するＡＣ／ＤＣ電源回路である。
【００４９】
図５は、省電力電源１３００及び大電力電源１４００を電源装置として備える電源監視装置の構成例示図である。この電源監視装置２は、図１の電源監視装置１と比較して制御基板の構成が異なる。電源監視装置２の制御基板８１０は、電源監視装置１の制御基板８００に制御部１１００を追加した構成である。
【００５０】
省電力電源１３００は、商用電源が接続されているときに常時稼働する電源回路であり、制御基板８１０や不図示のロジック回路に電力を供給する。大電力電源１４００は、制御基板８１０の制御部１１００から入力される制御信号ＲＭＴ＿Ｓｉｇにより動作する電源回路であり、消費電力が大きな負荷、例えば、モータや高圧基板等に電力を供給する。
【００５１】
省電力電源１３００は、第１負荷１５００に電力供給を行う。省電力電源１３００は、第１電力供給路１３０１を介して直流の電圧Ｖｄｃ３を第１負荷１５００に印加することで、第１負荷１５００を動作させる。大電力電源１４００は、第２負荷１６００に電力供給を行う。大電力電源１４００は、第２電力供給路１４０１を介して直流の電圧Ｖｄｃ４を第２負荷１６００に印加することで、第２負荷１６００を動作させる。
【００５２】
第１容量素子１７０１は、一端が第１電力供給路１３０１に接続され他端が第２容量素子１７０２に接続される。第２容量素子１７０２は、一端が第２電力供給路１４０１に接続され他端が第１容量素子１７０１に接続される。第１容量素子１７０１と第２容量素子１７０２との接続点の監視電圧Ｖｍｏｎｉは、制御基板８１０に入力される。
【００５３】
制御基板８１０は、操作パネル１２００或いはネットワークを経由して外部装置から入力される画像形成の指示に基づいて、大電力電源１４００の動作や第１負荷１５００の動作を制御する。ここで第１負荷１５００は、図４で説明した高圧基板や各部の駆動装置、露光器１０３ｙ、１０３ｍ、１０３ｃ、１０３ｋ等である。
制御基板８１０が備える検知部９００、判断部１０００、及びメモリ１７００の構成及び機能は、図１で説明した制御基板８００が備える検知部９００、判断部１０００、及びメモリ１７００と同様である。検知部９００、判断部１０００、及びメモリ１７００の構成及び動作の説明は省略する。制御部１１００は、操作パネル１２００或いはネットワークを経由して外部装置から入力される指示に基づいて制御信号ＲＭＴ＿Ｓｉｇを大電力電源１４００及び判断部１０００に入力する。
【００５４】
監視電圧Ｖｍｏｎｉの電圧値により、省電力電源１３００及び大電力電源１４００の正常状態及び異常状態を検知する原理について説明する。図５のように電源装置から２系統で直流電圧が出力される場合、第１容量素子１７０１及び第２容量素子１７０２には、電圧Ｖｄｃ３と電圧Ｖｄｃ４との差分電圧が印加される。監視電圧Ｖｍｏｎｉは、差分電圧が第１容量素子１７０１及び第２容量素子１７０２のそれぞれの容量値に応じて容量分圧された電圧である。電圧Ｖｄｃ３及び電圧Ｖｄｃ４に応じて監視電圧Ｖｍｏｎｉが変化する。そのため、制御基板８１０は、監視電圧Ｖｍｏｎｉをモニタすることで、省電力電源１３００及び大電力電源１４００の状態を把握することができる。
【００５５】
図６、図７は、制御信号ＲＭＴ＿ｓｉｇ、省電力電源１３００及び大電力電源１４００の出力電圧（電圧Ｖｄｃ３及び電圧Ｖｄｃ４）、及び監視電圧Ｖｍｏｎｉの関係の説明図である。図６では、電圧Ｖｄｃ３＝１２［Ｖ］、電圧Ｖｄｃ４＝２４［Ｖ］として説明する。第１容量素子１７０１と第２容量素子１７０２との容量値は同じである。
【００５６】
図６（ａ）は、時刻Ｔ１で画像形成装置１００が商用電源に接続されて、省電力電源１３００が正常に動作したときの、制御信号ＲＭＴ＿Ｓｉｇ、電圧Ｖｄｃ３、電圧Ｖｄｃ４、及び監視電圧Ｖｍｏｎｉの電圧波形を示す。省電力電源１３００は、時刻Ｔ１で動作を開始して、電圧Ｖｄｃ３＝１２［Ｖ］を正常に出力する。電圧Ｖｄｃ４は０［Ｖ］のままである。このとき、第１容量素子１７０１と第２容量素子１７０２との間には、電圧Ｖｄｃ４−電圧Ｖｄｃ３＝１２［Ｖ］の電位差が生じる。第１容量素子１７０１と第２容量素子１７０２とには、容量分圧された（電圧Ｖｄｃ４−電圧Ｖｄｃ３）／２＝６［Ｖ］が印加される。そのため、監視電圧Ｖｍｏｎｉは、電圧Ｖｄｃ３＋（電圧Ｖｄｃ４−電圧Ｖｄｃ３）／２（又は電圧Ｖｄｃ４−（電圧Ｖｄｃ４−電圧Ｖｄｃ３）／２）で得られる６［Ｖ］となる。
【００５７】
図６（ｂ）は、省電力電源１３００の動作後に、時刻Ｔ２で制御部１１００が大電力電源１４００に制御信号ＲＭＴ＿Ｓｉｇを入力したときの、制御信号ＲＭＴ＿Ｓｉｇ、電圧Ｖｄｃ３、電圧Ｖｄｃ４、及び監視電圧Ｖｍｏｎｉの電圧波形を示す。時刻Ｔ２で制御部１１００が大電力電源１４００に制御信号ＲＭＴ＿Ｓｉｇを入力することで、大電力電源１４００は、動作を開始して、電圧Ｖｄｃ４＝２４［Ｖ］を正常に出力する。
このとき、第１容量素子１７０１と第２容量素子１７０２との間には、電圧Ｖｄｃ４−電圧Ｖｄｃ３＝１２［Ｖ］の電位差が生じる。第１容量素子１７０１と第２容量素子１７０２とには、容量分圧された（電圧Ｖｄｃ４−電圧Ｖｄｃ３）／２＝６［Ｖ］が印加される。そのため、監視電圧Ｖｍｏｎｉは、電圧Ｖｄｃ３＋（電圧Ｖｄｃ４−電圧Ｖｄｃ３）／２（又は電圧Ｖｄｃ４−（電圧Ｖｄｃ４−電圧Ｖｄｃ３）／２）で得られる１８［Ｖ］となる。
【００５８】
図６（ｃ）は、図６（ｂ）の状態で大電力電源１４００が故障しているときの、制御信号ＲＭＴ＿Ｓｉｇ、電圧Ｖｄｃ３、電圧Ｖｄｃ４、及び監視電圧Ｖｍｏｎｉの電圧波形を示す。時刻Ｔ２で制御部１１００が大電力電源１４００に制御信号ＲＭＴ＿Ｓｉｇを入力するが、大電力電源１４００は、故障しているために動作を開始しない。そのために、電圧Ｖｄｃ４＝０［Ｖ］のままである。
このとき、第１容量素子１７０１と第２容量素子１７０２との間には、電圧Ｖｄｃ４−電圧Ｖｄｃ３＝１２［Ｖ］の電位差が生じる。第１容量素子１７０１と第２容量素子１７０２とには、（電圧Ｖｄｃ４−電圧Ｖｄｃ３）／２＝６［Ｖ］が印加される。そのため、監視電圧Ｖｍｏｎｉは、電圧Ｖｄｃ３＋（電圧Ｖｄｃ４−電圧Ｖｄｃ３）／２（又は電圧Ｖｄｃ４−（電圧Ｖｄｃ４−電圧Ｖｄｃ３）／２）で得られる６［Ｖ］となる。
【００５９】
図６（ｄ）は、図６（ｂ）の状態で正常動作後に、時刻Ｔ３で大電力電源１４００が故障し、時刻Ｔ４で電圧Ｖｄｃ４が０［Ｖ］になったときの、制御信号ＲＭＴ＿Ｓｉｇ、電圧Ｖｄｃ３、電圧Ｖｄｃ４、及び監視電圧Ｖｍｏｎｉの電圧波形を示す。電圧Ｖｄｃ４は、時刻Ｔ３から時刻Ｔ４の間で徐々に２４［Ｖ］から０［Ｖ］へ降下する。省電力電源１３００は正常動作を続ける。
時刻Ｔ４でＶｄｃ４＝０［Ｖ］になると、第１容量素子１７０１と第２容量素子１７０２との間には、電圧Ｖｄｃ４−電圧Ｖｄｃ３＝１２［Ｖ］の電位差が生じる。第１容量素子１７０１と第２容量素子１７０２とには、（電圧Ｖｄｃ４−電圧Ｖｄｃ３）／２＝６［Ｖ］が印加される。そのため、監視電圧Ｖｍｏｎｉは、電圧Ｖｄｃ３＋（電圧Ｖｄｃ４−電圧Ｖｄｃ３）／２（又は電圧Ｖｄｃ４−（電圧Ｖｄｃ４−電圧Ｖｄｃ３）／２）で得られる６［Ｖ］となる。監視電圧Ｖｍｏｎｉは、時刻Ｔ３から時刻Ｔ４の間で徐々に１８［Ｖ］から６［Ｖ］へ降下する。
【００６０】
図７（ａ）は、図６（ｂ）の状態で正常動作後に、時刻Ｔ３で省電力電源１３００が故障し、時刻Ｔ４で電圧Ｖｄｃ３が０［Ｖ］になったときの、制御信号ＲＭＴ＿Ｓｉｇ、電圧Ｖｄｃ３、電圧Ｖｄｃ４、及び監視電圧Ｖｍｏｎｉの電圧波形を示す。電圧Ｖｄｃ３は、時刻Ｔ３から時刻Ｔ４の間で徐々に１２［Ｖ］から０［Ｖ］へ降下する。大電力電源１４００は正常動作を続ける。
時刻Ｔ４でＶｄｃ３＝０［Ｖ］になると、第１容量素子１７０１と第２容量素子１７０２との間には、電圧Ｖｄｃ４−電圧Ｖｄｃ３＝２４［Ｖ］の電位差が生じる。第１容量素子１７０１と第２容量素子１７０２とには、（電圧Ｖｄｃ４−電圧Ｖｄｃ３）／２＝１２［Ｖ］が印加される。そのため、監視電圧Ｖｍｏｎｉは、電圧Ｖｄｃ３＋（電圧Ｖｄｃ４−電圧Ｖｄｃ３）／２（又は電圧Ｖｄｃ４−（電圧Ｖｄｃ４−電圧Ｖｄｃ３）／２）で得られる１２［Ｖ］となる。監視電圧Ｖｍｏｎｉは、時刻Ｔ３から時刻Ｔ４の間で徐々に１８［Ｖ］から１２［Ｖ］へ降下する。
【００６１】
図７（ｂ）は、図６（ｂ）の状態で正常動作後に、時刻Ｔ５で制御部１１００が制御信号ＲＭＴ＿Ｓｉｇの出力を止めたときの、制御信号ＲＭＴ＿Ｓｉｇ、電圧Ｖｄｃ３、電圧Ｖｄｃ４、及び監視電圧Ｖｍｏｎｉの電圧波形を示す。大電力電源１４００は、時刻Ｔ５で制御部１１００からの制御信号ＲＭＴ＿Ｓｉｇの入力が止められるために、動作を停止する。その結果、電圧Ｖｄｃ４は、時刻Ｔ５から時刻Ｔ６の間で徐々に２４［Ｖ］から０［Ｖ］へ降下する。省電力電源１３００は正常動作を続ける。
このとき、第１容量素子１７０１と第２容量素子１７０２との間には、電圧Ｖｄｃ４−電圧Ｖｄｃ３＝１２［Ｖ］の電位差が生じる。第１容量素子１７０１と第２容量素子１７０２とには、（電圧Ｖｄｃ４−電圧Ｖｄｃ３）／２＝１２［Ｖ］が印加される。そのため、監視電圧Ｖｍｏｎｉは、電圧Ｖｄｃ３＋（電圧Ｖｄｃ４−電圧Ｖｄｃ３）／２（又は電圧Ｖｄｃ４−（電圧Ｖｄｃ４−電圧Ｖｄｃ３）／２）で得られる６［Ｖ］となる。監視電圧Ｖｍｏｎｉは、時刻Ｔ５から時刻Ｔ６の間で徐々に１８［Ｖ］から６［Ｖ］へ降下する。
【００６２】
図７（ｃ）は、図７（ｂ）の状態で、時刻Ｔ５以降も大電力電源１４００が動作を続けたときの、制御信号ＲＭＴ＿Ｓｉｇ、電圧Ｖｄｃ３、電圧Ｖｄｃ４、及び監視電圧Ｖｍｏｎｉの電圧波形を示す。大電力電源１４００は、制御信号ＲＭＴ＿ｓｉｇが入力されなくなっても、動作が停止しない異常状態となり、電圧Ｖｄｃ４＝２４［Ｖ］を出力し続けている。これは、大電力電源１４００が故障した場合に起こりうる現象である。省電力電源１３００は正常動作を続ける。
このとき、第１容量素子１７０１と第２容量素子１７０２との間には、電圧Ｖｄｃ４−電圧Ｖｄｃ３＝１２［Ｖ］の電位差が生じる。第１容量素子１７０１と第２容量素子１７０２とには、（電圧Ｖｄｃ４−電圧Ｖｄｃ３）／２＝６［Ｖ］が印加される。そのため、監視電圧Ｖｍｏｎｉは、電圧Ｖｄｃ３＋（電圧Ｖｄｃ４−電圧Ｖｄｃ３）／２（又は電圧Ｖｄｃ４−（電圧Ｖｄｃ４−電圧Ｖｄｃ３）／２）で得られる１８［Ｖ］となる。省電力電源１３００、大電力電源１４００がともに正常動作しているときとの違いは、制御信号ＲＭＴ＿Ｓｉｇが停止している（ローレベル）点である。
【００６３】
このように電圧Ｖｄｃ３及び電圧Ｖｄｃ４の変動に応じて変動する監視電圧Ｖｍｏｎｉの電圧値は、省電力電源１３００及び大電力電源１４００の動作状態を表す。制御基板８１０は、このような監視電圧Ｖｍｏｎｉ及び制御信号ＲＭＴ＿ｓｉｇに基づいて、省電力電源１３００及び大電力電源１４００が正常に動作しているか否かを判断することが可能である。
【００６４】
制御基板８１０のメモリ１７００は、このような監視電圧Ｖｍｏｎｉ及び制御信号ＲＭＴ＿ｓｉｇから省電力電源１３００及び大電力電源１４００の動作状態を判断するための基準値を格納する。基準値は、省電力電源１３００及び大電力電源１４００の動作状態、停止状態の組み合わせに応じた監視電圧Ｖｍｏｎｉを判断するための値である。省電力電源１３００及び大電力電源１４００がともに正常に動作している場合の基準値は、電圧閾値Ｖｃである。省電力電源１３００が停止して電圧Ｖｄｃ３が出力されていない場合の基準値は、電圧閾値Ｖｂである。大電力電源１４００が停止して電圧Ｖｄｃ４が出力されていない場合の基準値は、電圧閾値Ｖａである。図６、図７の例では、電圧閾値Ｖｃ＝１６［Ｖ］、電圧閾値Ｖｂ＝１０［Ｖ］、電圧閾値Ｖａ＝４［Ｖ］である。
【００６５】
判断部１０００は、検知部９００が検知した監視電圧Ｖｍｏｎｉの電圧値と、メモリ１７００に格納された電圧閾値と、制御信号ＲＭＴ＿ｓｉｇとに基づいて、省電力電源１３００及び大電力電源１４００の状態を判断する。
図６（ａ）では、監視電圧Ｖｍｏｎｉ（６Ｖ）が、電圧閾値Ｖａ（４Ｖ）以上且つ制御信号ＲＭＴ＿ｓｉｇが大電力電源１４００に入力されていないため、判断部１０００は「省電力電源は正常に動作」と判断する。
図６（ｂ）では、監視電圧Ｖｍｏｎｉ（１８Ｖ）が、電圧閾値Ｖｃ（１６Ｖ）以上且つ制御信号ＲＭＴ＿ｓｉｇが大電力電源１４００に入力されているため、判断部１０００は「各電源回路共に正常」と判断する。
図６（ｃ）では、監視電圧Ｖｍｏｎｉ（６Ｖ）が、電圧閾値Ｖｂ（１０Ｖ）未満且つ電圧閾値Ｖａ（４Ｖ）以上であり、且つ制御信号ＲＭＴ＿ｓｉｇが大電力電源１４００に入力されているため、判断部１０００は「大電力電源の異常」と判断する。
図６（ｄ）では、監視電圧Ｖｍｏｎｉ（６Ｖ）が、電圧閾値Ｖｂ（１０Ｖ）未満且つ電圧閾値Ｖａ（４Ｖ）以上であり、且つ制御信号ＲＭＴ＿ｓｉｇが大電力電源１４００に入力されているため、判断部１０００は「大電力電源の異常」と判断する。
図７（ａ）では、監視電圧Ｖｍｏｎｉ（１２Ｖ）が、電圧閾値Ｖｃ（１６Ｖ）未満且つ電圧閾値Ｖｂ（１０Ｖ）以上であり、且つ制御信号ＲＭＴ＿ｓｉｇが大電力電源１４００に入力されているため、判断部１０００は「省電力電源の異常」と判断する。
図７（ｂ）では、監視電圧Ｖｍｏｎｉ（６Ｖ）が、電圧閾値Ｖｂ（１０Ｖ）未満且つ電圧閾値Ｖａ（４Ｖ）以上であり、且つ制御信号ＲＭＴ＿ｓｉｇが大電力電源１４００に入力されていないため、判断部１０００は「各電源回路共に正常」と判断する。
図７（ｃ）では、監視電圧Ｖｍｏｎｉ（１８Ｖ）が、電圧閾値Ｖｃ（１６Ｖ）以上且つ制御信号ＲＭＴ＿ｓｉｇが大電力電源１４００に入力されていないため、判断部１０００は「大電力電源の異常」と判断する。
【００６６】
このように電源監視装置２は、監視電圧Ｖｍｏｎｉの電圧値と、制御信号ＲＭＴ＿ｓｉｇと、基準値である複数の電圧閾値の少なくとも１つと、に基づいて電源装置（省電力電源１３００及び大電力電源１４００）の動作状態を判断することができる。従来のように電源回路毎に電圧監視回路を設ける必要がなく、電源回路の数よりも少ない数の電圧監視回路で各電源回路の状態を監視できるので、構成を簡素化することができる。
【００６７】
図８は、以上のような構成の電源監視装置２による電源装置（省電力電源１３００及び大電力電源１４００）の状態監視処理を表すフローチャートである。判断部１０００は、上記のような判断を行うために、制御信号ＲＭＴ＿ｓｉｇに応じて判断基準となる基準値のテーブルを切り替える。そのためにメモリ１７００は、大電力電源１４００が動作しているとき用の基準値のテーブルと、停止しているとき用の基準値のテーブルとを格納する。画像形成装置１００は、電源スイッチがオンされることで、省電力電源１３００の動作を開始させる。状態監視処理は、省電力電源１３００が動作を開始して出力電圧（電圧Ｖｄｃ３）が安定するのに十分な時間が経過した後に行われる。
【００６８】
制御基板８１０は、検知部９００により監視電圧Ｖｍｏｎｉを検知して処理を開始する。検知部９００は、所定の時間間隔で監視電圧Ｖｍｏｎｉを検知する。判断部１０００は、制御部１１００が制御信号ＲＭＴ＿ｓｉｇを大電力電源１４００に入力しているかを確認する（Ｓ１１０１）。
【００６９】
制御部１１００が制御信号ＲＭＴ＿ｓｉｇを大電力電源１４００に入力していない場合（Ｓ１１０１：N）、大電力電源１４００は動作しない。この場合、判断部１０００は、省電力電源１３００が正常に電圧Ｖｄｃ３＝１２［Ｖ］を出力し、大電力電源１４００が正常に電圧Ｖｄｃ４＝０［Ｖ］になっているかの判断を行う。
そのために判断部１０００は、メモリ１７００の基準値を参照して、検知部９００で検知した監視電圧Ｖｍｏｎｉが電圧閾値Ｖｃ以上であるかを判断する（Ｓ１１０２）。監視電圧Ｖｍｏｎｉが電圧閾値Ｖｃ以上である場合（Ｓ１１０２：Y）、判断部１０００は、「大電力電源の異常」と判断する（Ｓ１１０３）。監視電圧Ｖｍｏｎｉが電圧閾値Ｖｃ未満である場合（Ｓ１１０２：Y）、判断部１０００は、監視電圧Ｖｍｏｎｉが電圧閾値Ｖａ以上であるかを判断する（Ｓ１１０４）。監視電圧Ｖｍｏｎｉが電圧閾値Ｖａ以上である場合（Ｓ１１０４：Y）、判断部１０００は、「省電力電源は正常」と判断する。この場合、判断部１０００は、Ｓ１１０１の処理に戻り、Ｓ１１０１以降の処理を繰り返し行う。監視電圧Ｖｍｏｎｉが電圧閾値Ｖａ未満である場合（Ｓ１１０４：N）、判断部１０００は、「省電力電源の異常」と判断する（Ｓ１１０５）。
【００７０】
制御部１１００が制御信号ＲＭＴ＿ｓｉｇを大電力電源１４００に入力している場合（Ｓ１１０１：Y）、大電力電源１４００は動作する。この場合、判断部１０００は、省電力電源１３００が正常に電圧Ｖｄｃ３＝１２［Ｖ］を出力し、大電力電源１４００が正常に電圧Ｖｄｃ４＝２４［Ｖ］を出力するかの判断を行う。
そのために判断部１０００は、メモリ１７００の基準値を参照して、検知部９００で検知した監視電圧Ｖｍｏｎｉが電圧閾値Ｖｃ以上であるかを判断する（Ｓ１１０６）。監視電圧Ｖｍｏｎｉが電圧閾値Ｖｃ以上である場合（Ｓ１１０６：Y）、判断部１０００は、「各電源回路共に正常」であると判断する。この場合、判断部１０００は、Ｓ１１０１の処理に戻り、Ｓ１１０１以降の処理を繰り返し行う。監視電圧Ｖｍｏｎｉが電圧閾値Ｖｃ未満である場合（Ｓ１１０６：N）、判断部１０００は、「出力異常の電源回路有」と判断する。この場合、判断部１０００は、出力異常の電源回路の特定を行う。
【００７１】
省電力電源１３００と大電力電源１４００との異常状態を特定するために、判断部１０００は、まず、監視電圧Ｖｍｏｎｉが電圧閾値Ｖｂ以上であるかを判断する（Ｓ１１０７）。監視電圧Ｖｍｏｎｉが電圧閾値Ｖｂ以上である場合（Ｓ１１０７：Y）、判断部１０００は、「省電力電源の異常」と判断する（Ｓ１１０８）。
監視電圧Ｖｍｏｎｉが電圧閾値Ｖｂ未満である場合（Ｓ１１０７：N）、判断部１０００は、大電力電源１４００が異常状態となっていないかを確認する。判断部１０００は、監視電圧Ｖｍｏｎｉが電圧閾値Ｖａ以上であるかを判断する（Ｓ１１０９）。監視電圧Ｖｍｏｎｉが電圧閾値Ｖａ以上の場合（Ｓ１１０９：Y）、判断部１０００は、「大電力電源の異常」と判断する（Ｓ１１１０）。監視電圧Ｖｍｏｎｉが電圧閾値Ｖａ未満である場合（Ｓ１１０９：N）、判断部１０００は、「各電源回路共に異常」と判断する（Ｓ１１１１）。
【００７２】
制御基板８１０は、判断結果をメモリ１７００に格納したり、操作パネル１２００によりユーザへ報知してもよい。以上により、電源監視装置２による電源装置（省電力電源１３００及び大電力電源１４００）の状態監視処理が終了する。検知部９００が所定の時間間隔で監視電圧Ｖｍｏｎｉを検知することで、この処理は繰り返し行われる。そのために、電源装置（省電力電源１３００及び大電力電源１４００）の常時監視が行われる。
【００７３】
以上のように本実施形態の電源監視装置２は、監視電圧Ｖｍｏｎｉの電圧値とメモリ１７００に格納した基準値である電圧閾値とを比較をすることで、電源回路の数よりも少ない数の電圧監視回路で電源回路毎に動作状態（出力電圧状態）を判断することができる。そのために、従来のように電圧監視回路を電源回路毎に設ける必要がなく、装置部品の削減、装置の小型化、コスト削減が可能となる。
また、図５の検知部９００、判断部１０００、制御部１１００は、アナログ入力ポートを有するＣＰＵで構成されてもよいし、他の構成でもよい。
【００７４】
ここでは電源装置（省電力電源１３００及び大電力電源１４００）の出力電圧が０［Ｖ］になる例で説明をしたが、出力電圧が電源回路の出力電圧範囲外になった場合の電源回路異常も、同様の方法で検知することが可能である。また、第１容量素子１７０１と第２容量素子１７０２を異なる容量値とすることで、電源監視装置２は、電圧Ｖｄｃ３と電圧Ｖｄｃ４とが同じ電圧値であっても、省電力電源１３００及び大電力電源１４００の状態を判断することができる。
【００７５】
また、電源監視装置１は、電源回路は３以上であっても、同様に、負荷容量の接続の仕方と電圧閾値の設定値とで、すべての電源回路の状態を判断することができる。検知部９００は、常に監視電圧Ｖｍｏｎｉを監視する他に、ピークホールド回路等を用いて、監視電圧Ｖｍｏｎｉの変化を検知して電圧監視を行ってもよい。
【図１】
2019129553.tif 000003
【図２】
2019129553.tif 000004
【図３】
2019129553.tif 000005
【図４】
2019129553.tif 000006
【図５】
2019129553.tif 000007
【図６】
2019129553.tif 000008
【図７】
2019129553.tif 000009
【図８】
2019129553.tif 000010
【図９】
2019129553.tif 000011